(57)【特許請求の範囲】
【請求項１】
遊技球を払い出す払出装置に遊技球を供給する供給樋と、前記払出装置から払い出された遊技球を誘導する誘導樋とを備える遊技機の裏セットに、前記払出装置を着脱するための払出装置の着脱構造において、
前記払出装置が使用状態における前記払出装置の位置である通常位置から前記裏セットからの取り外しが可能な前記払出装置の位置である着脱位置へ移動するのを阻む規制位置と前記通常位置と前記着脱位置との間での移動を許す規制解除位置とに操作される位置規制手段と、
前記払出装置が前記通常位置及び前記通常位置と前記着脱位置の間にあるときには該払出装置の前記裏セットからの取り外しを許さず、前記着脱位置にされると該払出装置の前記裏セットからの取り外しを許す着脱規制手段と、
遊技球を通過させる通過孔と一対の係合壁とを有して前記裏セットに取り付けられる中継通断部材であって、前記通常位置にあるときの前記払出装置に対応する通過位置と前記着脱位置にあるときの前記払出装置に対応する遮断位置との間で平行移動可能に前記供給樋に組み付けられ、前記通過位置と前記遮断位置とを限度とする範囲で前記払出装置と連動し、前記通過位置では前記供給樋から前記通過孔を経て前記払出装置への遊技球の供給を許し、前記遮断位置では前記供給樋からの遊技球の流出を阻む中継通断部材と
を含んで構成され、
前記払出装置の前記通常位置と前記着脱位置との間での移動は前記遊技機の幅方向に沿った平行移動であり、
前記位置規制手段の前記規制位置と前記規制解除位置との間での変位は、前記払出装置の前記通常位置と前記着脱位置との間での移動方向と直交する方向に沿った平行移動であり、
前記裏セットから取り外されていた前記払出装置を前記着脱位置にすると、前記払出装置の上端に設けられた係合部が前記一対の係合壁間に挿し込まれて係合することにより前記中継通断部材が前記払出装置に連結され、
前記払出装置を前記着脱位置から前記通常位置へと平行移動させると前記連結されている前記中継通断部材が前記通過位置となり、
前記払出装置を前記通常位置から前記着脱位置へと平行移動させると前記連結されている前記中継通断部材が前記遮断位置となり、
前記着脱位置にあった前記払出装置を前記裏セットから取り外すために移動させると、前記係合部が前記係合壁間を摺動して抜けて前記中継通断部材が前記払出装置から分離される
ことを特徴とする払出装置の着脱構造。
【請求項２】
遊技球を払い出す払出装置に遊技球を供給する供給樋と、前記払出装置から払い出された遊技球を誘導する誘導樋とを備える遊技機の裏セットに、前記払出装置を着脱するための払出装置の着脱構造において、
前記払出装置が使用状態における前記払出装置の位置である通常位置から前記裏セットからの取り外しが可能な前記払出装置の位置である着脱位置へ移動するのを阻む規制位置と前記通常位置と前記着脱位置との間での移動を許す規制解除位置とに操作される位置規制手段と、
前記払出装置が前記通常位置及び前記通常位置と前記着脱位置の間にあるときには該払出装置の前記裏セットからの取り外しを許さず、前記着脱位置にされると該払出装置の前記裏セットからの取り外しを許す着脱規制手段と、
遊技球を通過させる通過孔と一対の係合壁とを有して前記裏セットに取り付けられる中継通断部材であって、前記通常位置にあるときの前記払出装置に対応する通過位置と前記着脱位置にあるときの前記払出装置に対応する遮断位置との間で平行移動可能に前記供給樋に組み付けられ、前記通過位置と前記遮断位置とを限度とする範囲で前記払出装置と連動し、前記通過位置では前記供給樋から前記通過孔を経て前記払出装置への遊技球の供給を許し、前記遮断位置では前記供給樋からの遊技球の流出を阻む中継通断部材と
を含んで構成され、
前記払出装置の前記通常位置と前記着脱位置との間での移動は前記遊技機の幅方向に沿った平行移動であり、
前記裏セットから取り外されていた前記払出装置を前記着脱位置にすると、前記払出装置の上端に設けられた係合部が前記一対の係合壁間に挿し込まれて係合することにより前記中継通断部材が前記払出装置に連結され、
前記払出装置を前記着脱位置から前記通常位置へと平行移動させると前記連結されている前記中継通断部材が前記通過位置となり、
前記払出装置を前記通常位置から前記着脱位置へと平行移動させると前記連結されている前記中継通断部材が前記遮断位置となり、
前記着脱位置にあった前記払出装置を前記裏セットから取り外すために移動させると、前記係合部が前記係合壁間を摺動して抜けて前記中継通断部材が前記払出装置から分離され、
前記中継通断部材の前記通過位置と前記遮断位置とを限度とする範囲での移動は前記払出装置を介して及ぼされる力のみによって行われ、バネ等の付勢手段による力は作用しない
ことを特徴とする払出装置の着脱構造。
【請求項３】
請求項１又は２記載の払出装置の着脱構造において、
前記着脱規制手段は、前記払出装置が前記通常位置にあるときには前記裏セットに係止して該払出装置の前記裏セットからの取り外し阻み、該払出装置が前記着脱位置にされた際には前記係止を解除して該払出装置の前記裏セットからの取り外しを許す係止機構である
ことを特徴とする払出装置の着脱構造。
【請求項４】
請求項１、２又は３記載の払出装置の着脱構造において、
前記裏セットは、
前記供給樋、前記払出装置が装着される部分及び前記誘導樋の一部であって前記払出装置から払い出された遊技球を上の球受皿に誘導する部分が含まれる縦部と、
前記誘導樋の一部であって前記払出装置から払い出された遊技球を下の球受皿に誘導する部分が含まれる横部と
からなるＬ字状で、
払出用の遊技球が貯留される球タンク又は該球タンクから流出した遊技球を整列させるタンクレールを保持する部材も、該球タンク又はタンクレールを保持する部材と前記横部とを連結する部材も備えない
ことを特徴とする払出装置の着脱構造。
【発明の詳細な説明】
【０００１】
【発明の属する技術分野】
本発明は、遊技機の技術分野に属し、詳しくは賞球或いは貸球としての遊技球を払い出す払出装置や払い出された遊技球を誘導する誘導樋を備える裏セットの構造に関する。
【０００２】
【従来の技術】
パチンコ機などの弾球遊技機や遊技球（パチンコ球）を使用するスロットマシン（例えば特開平６−３１０５４号公報）は、賞球或いは貸球としての遊技球を払い出すための構成を必要とし、通常は賞球等の通路や払出装置を備えた裏セット（機構盤と呼ばれることもある）が背面側に装着されている。
【０００３】
【発明が解決しようとする課題】
払出装置は、修理や交換が必要になることがあるので、裏セットから取り外し可能とされているが、従来の着脱構造はビスなどが使用されているために払出装置の着脱には工具による作業が必要であった。
【０００４】
また、払出装置を裏セットから取り外した際に、その上流側の球樋に存在する遊技球が漏出するのを防ぐために、払出装置が取り外された際に上流側の球樋の末端を閉塞する漏出防止手段を備えるのが普通である。
従来の漏出防止手段は、球樋の末端を閉塞する爪部材等をバネの力によって閉塞方向に付勢しておき、払出装置を装着することで爪部材等を開放位置にさせて閉塞位置への変位を抑止し、払出装置を取り外すと爪部材等を開放位置に止めていた力が解除されて爪部材等が球樋を閉塞する構造であった。
【０００５】
したがって、少なくともバネと例えば爪部材を必要としていた。また、遊技球の球圧に抗して爪部材を球樋に進入させなければならないのでバネは強力なものが使用され、そのバネを保持する部材（例えばケース等）も強度の高いものにする必要があった。さらには、バネの劣化や可動部に付着した汚れが原因となって、或いは強力なバネの力が長期にわたって作用するためにケースが破損したりして、正常に作動しなくなるおそれもあった。
【０００６】
【課題を解決するための手段及び発明の効果】
請求項１記載の払出装置の着脱構造は、
遊技球を払い出す払出装置に遊技球を供給する供給樋と、前記払出装置から払い出された遊技球を誘導する誘導樋とを備える遊技機の裏セットに、前記払出装置を着脱するための払出装置の着脱構造において、
前記払出装置が使用状態における前記払出装置の位置である通常位置から前記裏セットからの取り外しが可能な前記払出装置の位置である着脱位置へ移動するのを阻む規制位置と前記通常位置と前記着脱位置との間での移動を許す規制解除位置とに操作される位置規制手段と、
前記払出装置が前記通常位置及び前記通常位置と前記着脱位置の間にあるときには該払出装置の前記裏セットからの取り外しを許さず、前記着脱位置にされると該払出装置の前記裏セットからの取り外しを許す着脱規制手段と、
遊技球を通過させる通過孔と一対の係合壁とを有して前記裏セットに取り付けられる中継通断部材であって、前記通常位置にあるときの前記払出装置に対応する通過位置と前記着脱位置にあるときの前記払出装置に対応する遮断位置との間で平行移動可能に前記供給樋に組み付けられ、前記通過位置と前記遮断位置とを限度とする範囲で前記払出装置と連動し、前記通過位置では前記供給樋から前記通過孔を経て前記払出装置への遊技球の供給を許し、前記遮断位置では前記供給樋からの遊技球の流出を阻む中継通断部材と
を含んで構成され、
前記払出装置の前記通常位置と前記着脱位置との間での移動は前記遊技機の幅方向に沿った平行移動であり、
前記位置規制手段の前記規制位置と前記規制解除位置との間での変位は、前記払出装置の前記通常位置と前記着脱位置との間での移動方向と直交する方向に沿った平行移動であり、
前記裏セットから取り外されていた前記払出装置を前記着脱位置にすると、前記払出装置の上端に設けられた係合部が前記一対の係合壁間に挿し込まれて係合することにより前記中継通断部材が前記払出装置に連結され、
前記払出装置を前記着脱位置から前記通常位置へと平行移動させると前記連結されている前記中継通断部材が前記通過位置となり、
前記払出装置を前記通常位置から前記着脱位置へと平行移動させると前記連結されている前記中継通断部材が前記遮断位置となり、
前記着脱位置にあった前記払出装置を前記裏セットから取り外すために移動させると、前記係合部が前記係合壁間を摺動して抜けて前記中継通断部材が前記払出装置から分離される
ことを特徴とする。
請求項２記載の払出装置の着脱構造は、
遊技球を払い出す払出装置に遊技球を供給する供給樋と、前記払出装置から払い出された遊技球を誘導する誘導樋とを備える遊技機の裏セットに、前記払出装置を着脱するための払出装置の着脱構造において、
前記払出装置が使用状態における前記払出装置の位置である通常位置から前記裏セットからの取り外しが可能な前記払出装置の位置である着脱位置へ移動するのを阻む規制位置と前記通常位置と前記着脱位置との間での移動を許す規制解除位置とに操作される位置規制手段と、
前記払出装置が前記通常位置及び前記通常位置と前記着脱位置の間にあるときには該払出装置の前記裏セットからの取り外しを許さず、前記着脱位置にされると該払出装置の前記裏セットからの取り外しを許す着脱規制手段と、
遊技球を通過させる通過孔と一対の係合壁とを有して前記裏セットに取り付けられる中継通断部材であって、前記通常位置にあるときの前記払出装置に対応する通過位置と前記着脱位置にあるときの前記払出装置に対応する遮断位置との間で平行移動可能に前記供給樋に組み付けられ、前記通過位置と前記遮断位置とを限度とする範囲で前記払出装置と連動し、前記通過位置では前記供給樋から前記通過孔を経て前記払出装置への遊技球の供給を許し、前記遮断位置では前記供給樋からの遊技球の流出を阻む中継通断部材と
を含んで構成され、
前記払出装置の前記通常位置と前記着脱位置との間での移動は前記遊技機の幅方向に沿った平行移動であり、
前記裏セットから取り外されていた前記払出装置を前記着脱位置にすると、前記払出装置の上端に設けられた係合部が前記一対の係合壁間に挿し込まれて係合することにより前記中継通断部材が前記払出装置に連結され、
前記払出装置を前記着脱位置から前記通常位置へと平行移動させると前記連結されている前記中継通断部材が前記通過位置となり、
前記払出装置を前記通常位置から前記着脱位置へと平行移動させると前記連結されている前記中継通断部材が前記遮断位置となり、
前記着脱位置にあった前記払出装置を前記裏セットから取り外すために移動させると、前記係合部が前記係合壁間を摺動して抜けて前記中継通断部材が前記払出装置から分離され、
前記中継通断部材の前記通過位置と前記遮断位置とを限度とする範囲での移動は前記払出装置を介して及ぼされる力のみによって行われ、バネ等の付勢手段による力は作用しない
ことを特徴とする。
【０００７】
請求項１記載の払出装置の着脱構造と請求項２記載の払出装置の着脱構造とは、前者にあっては「前記位置規制手段の前記規制位置と前記規制解除位置との間での変位は、前記払出装置の前記通常位置と前記着脱位置との間での移動方向と直交する方向に沿った平行移動」であり、後者にあっては「前記中継通断部材の前記通過位置と前記遮断位置とを限度とする範囲での移動は前記払出装置を介して及ぼされる力のみによって行われ、バネ等の付勢手段による力は作用しない」点で相違するものの、その他の構成は共通する。
払出装置を通常位置にした使用時には、位置規制手段を規制位置にすることで払出装置が着脱位置に移動するのを規制できるから、払出装置が不用意に着脱位置になるのを防止できる。
払出装置を取り外す際には、位置規制手段を規制解除位置にして払出装置を着脱位置に移動させれば、着脱規制手段が払出装置の裏セットからの取り外しを許すので、払出装置を取り外せる。しかし、払出装置を着脱位置にしなければ着脱規制手段が取り外しを許さないから、払出装置を取り外せない。
【０００８】
位置規制手段を備えたことにより払出装置が不用意に着脱位置になるのを防止でき、着脱規制手段を備えたことにより、払出装置が着脱位置以外から取り外されるのを防止できる。つまり、作業ミスなどで払出装置が着脱位置になったり適正でない位置から取り外されて供給樋から遊技球が漏出するのを確実に防止できる。また、位置規制手段の操作には工具などを必要としない。
【０００９】
中継通断部材は、遊技球を通過させる通過孔と一対の係合壁とを有しており、払出装置の通常位置に対応する通過位置と着脱位置に対応する遮断位置との間で平行移動可能に前記供給樋に組み付けられる。
中継通断部材を通過位置とする払出装置の位置（通常位置）は使用状態における位置であり、この位置にあるときには供給樋から通過孔を経て払出装置への遊技球の供給を許し、中継通断部材を遮断位置とする払出装置の位置（着脱位置）は払出装置を裏セットから取り外しできる位置であり、この遮断位置では供給樋からの遊技球の流出を阻む。
【００１０】
払出装置の通常位置と着脱位置との間での移動は遊技機の幅方向に沿った平行移動である。
裏セットから取り外されていた払出装置を着脱位置にすると、払出装置の上端に設けられた係合部が一対の係合壁間に挿し込まれて係合することにより中継通断部材が払出装置に連結される。
その払出装置を着脱位置から通常位置へと平行移動させると連結されている中継通断部材が通過位置になる。
また払出装置を通常位置から着脱位置へと平行移動させると連結されている中継通断部材が遮断位置となり、その着脱位置にあった払出装置を裏セットから取り外すために移動させると、係合部が係合壁間を摺動して抜けて中継通断部材が払出装置から分離される。
つまり、使用状態で払出装置が通常位置にされていれば供給樋から払出装置への遊技球が供給されるので払出装置は払出を実行できる。
一方、払出装置を裏セットから取り外すために着脱位置に移動させると、中継通断部材が遮断位置になって供給樋からの遊技球の流出を阻むので、払出装置を裏セットから取り外しても供給樋から遊技球が漏出しない。
しかも、着脱規制手段を備えたことにより、払出装置が着脱位置以外から取り外されるのを防止できる。つまり、作業ミスなどで払出装置が着脱位置でない位置から取り外されて供給樋から遊技球が漏出するのを確実に防止できる。
【００１１】
払出装置を着脱位置に移動させれば中継通断部材が遮断位置になるから、中継通断部材をバネなどで付勢する必要がない。払出装置を取り外すための作業が中継通断部材を遮断位置にする作業となるから、払出装置の取り外し時には、確実に中継通断部材を遮断位置にでき、作業ミスなどで供給樋から遊技球が漏出するおそれもない。
【００１２】
また、中継通断部材は、遊技球を通過させる通過孔と一対の係合壁とを有していればよいので、単純な構造にできる。すなわち、部品点数は少なくて済み、その構造も単純にできる。
特に、バネ等の付勢手段を必要としないので、請求項２記載の払出装置の着脱構造では、前記中継通断部材の前記通過位置と前記遮断位置とを限度とする範囲での移動は前記払出装置を介して及ぼされる力のみによって行われ、バネ等の付勢手段による力は作用しない構成を採用しており、そのバネ等を保持する部材も不要で、強力なバネ等の力が長期にわたって作用したことによる破損は発生しない。またバネ等の不良や可動部に付着した汚れが原因となって正常に作動しなくなるおそれもない。
【００１３】
一方、請求項１記載の払出装置の着脱構造では、前記位置規制手段の前記規制位置と前記規制解除位置との間での変位は、前記払出装置の前記通常位置と前記着脱位置との間での移動方向と直交する方向に沿った平行移動とした構成を採用しているので、例えば位置規制手段を変位させた際に誤って払出装置も移動させるような不具合を防止できる。
【００１４】
請求項３記載の払出装置の着脱構造は、請求項１又は２記載の払出装置の着脱構造において、前記着脱規制手段は、前記払出装置が前記通常位置にあるときには前記裏セットに係止して該払出装置の前記裏セットからの取り外し阻み、該払出装置が前記着脱位置にされた際には前記係止を解除して該払出装置の前記裏セットからの取り外しを許す係止機構であることを特徴とする。
【００１５】
払出装置の着脱が係止と係止の解除とで行われるので、ビスなどを必要とせず、またそのための工具なども必要としない。
【００１６】
請求項４記載の払出装置の着脱構造は、請求項１、２又は３記載の払出装置の着脱構造において、前記裏セットは、前記供給樋、前記払出装置が装着される部分及び前記誘導樋の一部であって前記払出装置から払い出された遊技球を上の球受皿に誘導する部分が含まれる縦部と、前記誘導樋の一部であって前記払出装置から払い出された遊技球を下の球受皿に誘導する部分が含まれる横部とからなるＬ字状で、払出用の遊技球が貯留される球タンク又は該球タンクから流出した遊技球を整列させるタンクレールを保持する部材も、該球タンク又はタンクレールを保持する部材と前記横部とを連結する部材も備えないことを特徴とする。
【００１７】
パチンコ機のように遊技球（パチンコ球）を使用する遊技機では、球タンクに遊技球を貯留しておき、この球タンクから流出した遊技球をタンクレールで整列させてから供給樋に流入させて払出装置に供給する構成が一般的である。
そのため、従来の遊技機においては、球タンク、タンクレール、供給樋（タンクレールと払出装置とを中継するので中継樋と呼ばれることがある。）、払出装置と上下の球受皿とを接続するための通路等を備えて、払出装置が装着される機構盤を使用していた（例えば特開２０００−１４０３３２号公報）。
【００１８】
ところが、特開２０００−１４０３３２号公報に示されるように、従来の機構盤は遊技盤の背面を臨ませる窓を有する枠体であったので、これを射出成形するための成形金型は大型のものを必要としていた。
機構盤は軸支機構を介して遊技機の本体に連結されており、例えば遊技盤を交換したり遊技機の背面側の点検や修理のために開放することができたが、機構盤は遊技機の背面側のかなりの部分を占めていたので、その開閉は簡単ではなかった。しかも、遊技盤や遊技盤の背面に取り付けられている電機部品に接続される配線が機構盤の枠部分をまたいでいる場合には、前述の開閉に際してそれらの配線を一時的に外したり再結線しなければならなかった。
【００１９】
また、機構盤が遊技機の背面側のかなりの部分を占めるほどに大型であったので、それだけ他の部品のスペースが制約されてもいた。
つまり、機構盤が大型であるために、上に例示したような様々な不具合があった。
【００２０】
しかし、請求項４記載の裏セットは、前記供給樋、前記払出装置が装着される部分及び前記誘導樋の一部であって前記払出装置から払い出された遊技球を上の球受皿に誘導する部分が含まれる縦部と、前記誘導樋の一部であって前記払出装置から払い出された遊技球を下の球受皿に誘導する部分が含まれる横部とからなるＬ字状で、払出用の遊技球が貯留される球タンク又は該球タンクから流出した遊技球を整列させるタンクレールを保持する部材及び該球タンク又はタンクレールを保持する部材と前記横部とを連結する部材を備えない構造、すなわち、窓を有する枠体ではなくてＬ字状をしているので、これを射出成形するための成形金型は小型で済む。
【００２１】
また、軸支機構を介して遊技機の本体に連結して開放可能な構成にした場合でも、従来の機構盤に比べて小型であるから開閉は簡単である。しかも、Ｌ字状であるから、裏セットとの干渉を避けて各種の配線を引き回すことが可能で、例えば裏セットの開閉に際してそれらの配線を一時的に外したり再結線する必要がなくなる。
【００２２】
この裏セットはＬ字状であるので、これを中枠（遊技盤保持枠）に固定することができる。この場合、裏セットを開閉するための軸支機構や閉鎖状態でロックするための機構等が不要となり、全体的に構造が簡素化される。また、中枠に固定することにより中枠側の構造との位置合わせが正確になり、使用中にずれたりするおそれもなくなる。
【００２３】
さらに、従来の機構盤よりも小型であり裏セットが遊技機の背面側で占める範囲も狭くなるから、その分だけ他の部品のスペースにゆとりができ、部品サイズや部品配置の自由度が高まる。
【００２４】
【発明の実施の形態】
次に、本発明の実施例により発明の実施の形態を説明する。
【００２５】
【実施例】
本実施例は、中枠１０に裏セット３０５や基板ケースなどを組み付けて、パチンコ機の内部構造体３００とした例である。
初めに主に図１〜５を参照して中枠１０の構造を説明する。なお、図１は正面側から見た中枠の分解斜視図、図２は背面側から見た中枠の分解斜視図、図３は背面下方から見た中枠の分解斜視図、図４は中枠の正面図、図５は中枠の背面図である。
【００２６】
中枠１０はプラスチック製の上辺部材３０、プラスチック製の下辺部材５０、金属製の左縦辺部材７０及び金属製の右縦辺部材９０の４分割構造であり（図１、図２参照）、下辺部材５０には皿支持板１１０が取り付けられる。
上辺部材３０の周縁部３１は、水平方向の上縁部３２と左右の縦縁部３３、３４とからなるコの字状で、上縁部３２から右の縦縁部３４にかけては周縁部３１の表面に垂直方向の外周リブ３５が設けられている。周縁部３１の正面から見て左上の隅部は切欠状の上ヒンジ突出部３１ａとされており、縦縁部３３、３４の外辺には、それぞれ２箇所ずつの係合凹部３３ａ、３４ａが設けられている。
【００２７】
そして、周縁部３１の内側は後方に凹陥、突出した凹陥部３６となっている。
凹陥部３６の壁３７と周縁部３１とは直角に交わっているが、壁３７及び周縁部３１を切り欠いて、その分を背後に突出させた構造の連結凸部３８が左右に２箇所ずつ設けられている。連結凸部３８の上面には係合口３８ａが設けられている。なお、壁３７は遊技盤２００の左右方向の位置決め部材ともなる。
【００２８】
凹陥部３６の奥側の壁は上部部品取付部３９とされており、その背面にはタンクエリア４０、レールエリア４１及び端子板エリア４２が設けられている。タンクエリア４０からレールエリア４１にわたっては球タンク３０２が取り付けられる。本実施例の球タンク３０２は、図７に示すとおり遊技球を貯留する球タンク本体３０３と球タンク本体３０３から流出した遊技球を整列させながら誘導するタンクレール３０４とを一体化した構造で、取付用突起を上部部品取付部３９の係合部４０ａに係合させることで取り付けられる。端子板エリア４２は、電源及び通信線を接続するための中継端子板３１０用の中継基板ケース３０９（図７参照）用のエリアである。
【００２９】
また、凹陥部３６の縦縁部３３側の角には２箇所の係合穴３６ａが設けられ、縦縁部３４側には１箇所の係合穴３６ｂが設けられている。
下辺部材５０の下半部はほぼ平面状の下皿取付部５１で、その下辺から右辺にかけては下皿取付部５１の表面に垂直方向の外周リブ５２が設けられている。また、その正面からみて左下の隅部は切欠状の下ヒンジ突出部５１ａとされ、その上方には係合凹部５１ｂ及び係合穴５１ｃが設けられている。
【００３０】
下皿取付部５１の背面ほぼ中央には下皿用貫通樋５３が突出して設けられている。この下皿用貫通樋５３の後端部は上向きに開口していわゆるバケツ５３ａとなっており、下皿用貫通樋５３の上側にはファール球受入用のファール連通樋５４が連設されている。また、下皿用貫通樋５３の出口５３ｂは、下皿取付部５１の前面に開口している（図４参照）。
【００３１】
下皿用貫通樋５３の左右には、それぞれ４箇所ずつ合計８箇所の支持板係合穴５６が設けられている。支持板係合穴５６は凸字を横転させた形状で、左側４箇所及び右側４箇所の支持板係合穴５６の内の１箇所にはロックピース取付穴５７が隣接して設けられている。
【００３２】
ロックピース取付穴５７は、軸受５７ａと一対の突起通過部５７ｂとからなり、ロックピース１１８は軸１１８ａ、軸１１８ａの直径方向に沿って突出している一対の抜止突起１１８ｂ及びつまみを兼ねるロック部１１８ｃを備えている。ロックピース取付穴５７の軸受５７ａはロックピース１１８の軸１１８ａを摺動させる寸法で、突起通過部５７ｂは、軸受５７ａに軸１１８ａを挿通させた際に抜止突起１１８ｂを通過させ得る位置及び寸法である。
【００３３】
下辺部材５０には皿支持板１１０が取り付けられるが、皿支持板１１０の中央部には下皿用貫通樋５３の出口５３ｂに対応する流入口１１２が設けられており、背面には（図３参照）支持板係合穴５６に対応する係合突起１１３、１１４が設けられている。係合突起１１３は、支持板係合穴５６の基部５６ａの内法に整合する寸法の係止板１１３ａと支持板係合穴５６の溝部５６ｂの幅に整合する板厚の係合板１１３ｂを有している。係合突起１１４は、係合突起１１３の係止板１１３ａと同様の係止板１１４ａ及び係合板１１３ｂと同様の係合板１１４ｂを有し、更に係止板１１４ａを超えて延出した背面１１４ｃ及び係止板１１４ａと背面１１４ｃ間に配された補助リブ１１４ｄを備えている。また、下ヒンジ突出部５１ａに対応して、下ヒンジ回避部１１６が設けられている。
【００３４】
皿支持板１１０は前面に下の球受皿（図示と詳細説明は省略）が取り付けられて下皿ユニットとされ、そのユニット状態で下辺部材５０に装着される。下皿ユニットの装着は支持板係合穴５６と係合突起１１３、１１４とを用いて行われる。具体的には、まず係合突起１１４をロックピース取付穴５７が隣接している支持板係合穴５６に、係合突起１１３を他の支持板係合穴５６に対応させて、それぞれの係止板１１３ａ、１１４ａを対応する基部５６ａに挿通させて下辺部材５０の背後に至らせる。
【００３５】
係合板１１３ｂ、１１４ｂの長さ、すなわち係止板１１３ａ、１１４ａと皿支持板１１０の背面との距離は下辺部材５０の支持板係合穴５６の周囲の板厚をわずかに上回る設定であるので、係止板１１３ａ、１１４ａが下辺部材５０の背後に至った際には皿支持板１１０の背面リブ１１５が下辺部材５０の前面に密接する。
【００３６】
次に皿支持板１１０を下辺部材５０に沿って平行移動させて、係合板１１３ｂ、１１４ｂを溝部５６ｂにはめ込む。この状態になると係止板１１３ａ、１１４ａが溝部５６ｂの周囲に接触するので、このままなら皿支持板１１０を下辺部材５０から引き剥がせない。
【００３７】
続いて、抜止突起１１８ｂを突起通過部５７ｂに合わせて、ロックピース１１８の軸１１８ａをロックピース取付穴５７に挿し込み、抜止突起１１８ｂを下辺部材５０の前面側に至らせる。抜止突起１１８ｂとロック部１１８ｃとの距離は下辺部材５０のロックピース取付穴５７の周囲の板厚をわずかに上回る設定であるので、このように抜止突起１１８ｂが下辺部材５０の前面側に至った際には、抜止突起１１８ｂが下辺部材５０の前面に接してロック部１１８ｃが下辺部材５０の背面に接する。
【００３８】
そして、ロック部１１８ｃをつまみにしてロックピース１１８を９０度回すと、ロック部１１８ｃの端面が係合突起１１４の背面１１４ｃに当接して押圧する。これにより、係合板１１３ｂ、１１４ｂを溝部５６ｂから離脱させる方向への係合突起１１３、１１４（皿支持板１１０）の移動が阻まれる。
【００３９】
なお、下辺部材５０の背面にはロック部１１８ｃの長径に対応した円弧状のガイドリブ５０ｃが設けられており、上記の回転操作時にはロック部１１８ｃはガイドリブ５０ｃの内面を摺動する。そして、９０度回ったときにはストッパリブ５０ｄによって回転を阻まれる。したがって、ロック部１１８ｃを回し過ぎるおそれはない。また、ロック部１１８ｃの一端面が係合突起１１４の背面１１４ｃに当接したときにも他端はガイドリブ５０ｃの内面に当接しているので、ロック部１１８ｃが係合突起１１４の背面１１４ｃに及ぼす押圧力は緩まない。
【００４０】
ここで下辺部材５０の説明に戻る。
背面側で下皿用貫通樋５３に連接されているファール連通樋５４は下辺部材５０の前面に達しており、下皿取付部５１の上方に凹陥状に設けられた盤支持部５８の中央下部にて前方に開口している。また、ファール連通樋５４内には横断リブ５４ａが配されている。盤支持部５８の前面側には長リブ５９ａと短リブ５９ｂとでファール球誘導路５９が形成されており、その下流端がファール連通樋５４に連通している。これら長リブ５９ａ、短リブ５９ｂ及びファール連通樋５４にてファール回収路が構成されている。
【００４１】
短リブ５９ｂの上方部分は発射ユニットを装着するための領域で、発射ベース１２０（図６参照）に発射レール、発射ハンマー及び発射モータ（いずれも図示せず）を組み付けた発射ユニットが装着される。
また、長リブ５９ａの上方では、盤支持部５８が上側に延出されていて、この部分に上皿用貫通樋６１が開口している。
【００４２】
このため、盤支持部５８の上端は左右が高くその間が低い状態の段差状となっている。この段差状の上端面６２は遊技盤２００支承するための面となっている。また、上端面６２の手前側には、遊技盤２００の前方向の位置決め部材となる盤面受６３ａが配置され、背後側には遊技盤２００の後方向の位置決め部材となる背面受６３ｂが配置されている。
【００４３】
盤支持部５８の左右は下皿取付部５１に連設状態の縦縁部６５、６６で、それぞれの横壁６５ａ、６６ａに連結凸部３８及び係合口３８ａと同様の連結凸部６７及び係合口６７ａが２箇所ずつ設けられている。また、縦縁部６６には係合凹部６６ｂが設けられている。なお、長リブ５９ａは縦縁部６５に達していて、ファール球のみならず上皿用貫通樋６１等からのこぼれ球も回収可能である。
【００４４】
ファール球及びこぼれ球は、例えば長リブ５９ａ上を転動してファール連通樋５４に流入し、横断リブ５４ａ上から下皿用貫通樋５３に落下して下の球受皿に流入する。
盤支持部５８には、上述のロックピース取付穴５７と同様のロックピース取付穴６８が２箇所に設けられている。これらロックピース取付穴６８は、長リブ５９ａ及び短リブ５９ｂの前面側を覆ってファール回収路を完成させる、ファールカバー１２２（図６、図９参照）の取り付け用である。
【００４５】
ファールカバー１２２にはこぼれ球受１２３が備わっている。こぼれ球受１２３はファールカバー１２２を盤支持部５８に固定した際に上皿用貫通樋６１の下方に位置し、上皿用貫通樋６１等からのこぼれ球をファール回収路に誘導する。
ファールカバー１２２は長リブ５９ａ及び短リブ５９ｂに当接状態とされてから、ロックピース１１８によって盤支持部５８に固定される。この際、ロックピース１１８は、抜止突起１１８ｂとロック部１１８ｃとで盤支持部５８及びファールカバー１２２を挟持する。このロックピース１１８の作用は皿支持板１１０のときとは異なっている。
【００４６】
左縦辺部材７０は板金本体７１、上ヒンジ軸パーツ７２、下ヒンジ軸受パーツ７３、皿扉軸受パーツ７４、上下のロック金具７５、７６等にて構成されている。
板金本体７１は、面を前後方向に沿わせる外周リブ７７、外周リブ７７に垂直なヒンジ保持面７８、ヒンジ保持面７８に垂直な横当接面７９、横当接面７９に垂直な後当接面８０等からなり、全体として階段状である。なお、板金本体７１の階段形状は、上辺部材３０のの左の縦縁部３３から凹陥部３６にかけての背面形状に整合し、また下辺部材５０の下皿取付部５１、縦縁部６５及び盤支持部５８にかけての背面形状に整合する。
【００４７】
ヒンジ保持面７８の上部には係合凹部３３ａに整合する寸法の係合片７８ａが打ち抜きにて突出形成されており、下部にても係合凹部５１ｂに整合する寸法の係合片（図示されない）が同様に突出形成されている。
ヒンジ保持面７８から横当接面７９にかけて、連結凸部３８を緩みなく貫通させる寸法の連結穴８２と連結凸部６７を緩みなく貫通させる寸法の連結穴８３が設けられている。また、横当接面７９の上部からは、係合穴３６ａに嵌合する寸法の係合片７９ａが後当接面８０と同方向に延出されている。
【００４８】
上ヒンジ軸パーツ７２は、上ヒンジ軸７２ａや半円状のヒンジガード７２ｂ等を備えており、連結部７２ｃにてヒンジ保持面７８の上端部にリベット止め（またはスポット溶接）されている。
下ヒンジ軸受パーツ７３は軸受穴７３ａや係合穴５１ｃに嵌合する寸法の係合片７３ｂ等を備え、上ヒンジ軸パーツ７２と同様にヒンジ保持面７８の下端部に固着されている。
【００４９】
皿扉軸受パーツ７４は、上下で対となる軸受穴７４ａ、７４ｂを備え、連結部７４ｃにてヒンジ保持面７８の前面にリベット止め（またはスポット溶接）されている。また、連結部７４ｃからは段差状の当接片７４ｄが延出されている。
上下のロック金具７５、７６は同形状で、それぞれ一対のロック片７５ａ、７６ａ、長穴７５ｂ、７６ｂ、引上片７５ｃ、７６ｃ等を備えている。
【００５０】
ロック金具７５、７６は長穴７５ｂ、７６ｂを貫通して横当接面７９に立設された摺動軸ピン（図示略）を介して横当接面７９に取り付けられており、長穴７５ｂ、７６ｂの範囲で昇降できる。
ただし、常時は横当接面７９との間に掛け渡された引っ張りバネ８４（ロック金具７６用は図示略）によって下向きに引っ張られて下降している。その下降時にはロック片７５ａ、７６ａが連結穴８２、８３を塞ぐ位置にあるが、例えば引上片７５ｃ、７６ｃに力を掛けて引き上げることで連結穴８２、８３を全開にできる。
【００５１】
連結穴８２、８３を全開にすれば、これらに連結凸部３８及び連結凸部６７を緩みなく挿通でき、その際に係合口３８ａ、６７ａの一部は連結穴８２、８３から突出した位置になる。ロック片７５ａ、７６ａは、この係合口３８ａ、６７ａの突出部分に緩みなくはまり込む寸法とされている。
【００５２】
右縦辺部材９０は、中枠１０の構造部材となる板金本体９１、施錠機構９２、上下のロック金具９３、９４等にて構成されている。
板金本体９１は、面を前後方向に沿わせる外周リブ９５、外周リブ９５に垂直な施錠機構保持面９６、施錠機構保持面９６に垂直な横当接面９７、横当接面９７に垂直な後当接面９８等からなり、全体として階段状である。
なお、板金本体９１の階段形状は、上辺部材３０のの左の縦縁部３４から凹陥部３６にかけての背面形状に整合し、また下辺部材５０の縦縁部６６から盤支持部５８にかけての背面形状に整合する。
【００５３】
施錠機構保持面９６には、施錠機構９２のための穴９６ａ、９６ｂ、９６ｃが設けられ、また上部には係合凹部３４ａに整合する寸法の係合片９６ｄが打ち抜きにて突出形成されており、下部にても係合凹部６６ｂに整合する寸法の係合片９６ｅが同様に突出形成されている。
【００５４】
施錠機構保持面９６から横当接面９７にかけて、連結凸部３８を緩みなく貫通させる寸法の連結穴９９と連結凸部６７を緩みなく貫通させる寸法の連結穴１００が設けられている。また、横当接面９７の上部からは、係合穴３６ｂに嵌合する寸法の係合片９７ａが後当接面９８と同方向に延出されている。
【００５５】
ロック金具９３、９４は、左縦辺部材７０のロック金具７５、７６と同構造（ただし鏡像）で、ロック金具７５、７６と同様に、それぞれ一対のロック片９３ａ、９４ａ、長穴９３ｂ、９４ｂ、引上片９３ｃ、９４ｃ等を備え、それぞれ長穴９３ｂ、９４ｂを貫通して横当接面９７に立設された摺動軸ピン（図示略）を介して横当接面９７に取り付けられており、長穴９３ｂ、９４ｂの範囲で昇降できる。
【００５６】
また、常時は横当接面９７との間に掛け渡された引っ張りバネ（図示略）によって下向きに引っ張られて下降している。その下降時にはロック片９３ａ、９４ａが連結穴９９、１００を塞ぐ位置にあるが、例えば引上片９３ｃ、９３ｃに力を掛けて引き上げることで連結穴９９、１００を全開にできる。
【００５７】
連結穴９９、１００を全開にすれば、これらに連結凸部３８及び連結凸部６７を緩みなく挿通でき、その際に係合口３８ａ、６７ａの一部は連結穴９９、１００から突出した位置になる。ロック片９３ａ、９４ａは、この係合口３８ａ、６７ａの突出部分に緩みなくはまり込む寸法とされている。
【００５８】
施錠機構９２は中枠１０を外枠に施錠するための施錠機構であり、遊技盤２００の前面側を覆うためのガラス板を保持するガラス枠（図示は省略）を中枠１０に対して閉じた状態で施錠するガラス枠施錠機構も兼ねている。
施錠機構９２の構造は公知のものと大差はなく、中枠１０を外枠に施錠するための中枠施錠部１０３、ガラス枠を中枠１０に施錠するためのガラス枠施錠部１０４、これらを解錠操作するための操作部１０５から構成されている。
【００５９】
中枠施錠部１０３は、昇降板１０７、昇降板１０７の上下端部に連結された施錠フック１０８、昇降板１０７を下降側に付勢するバネ（図示略）等から構成され、施錠フック１０８を外枠の金具（図示せず）に係止させることで中枠１０を施錠する。
【００６０】
ガラス枠施錠部１０４は、昇降板１３０、昇降板１３０の上下端部に連結された施錠フック１３２、昇降板１３０を上昇側に付勢するバネ（図示略）等から構成されており、昇降板１３０には押下レバー１３０ａが設けられ、施錠フック１３２は施錠機構保持面９６の穴９６ｂを貫通して前面側に突出している。ガラス枠施錠部１０４は、施錠フック１３２をガラス枠の金具（図示せず）に係止させることでガラス枠を施錠する。
【００６１】
操作部１０５は、鍵穴（図示略）に差し込まれた鍵（図示せず）によって操作され、鍵を回すと穴９６ａを貫通している回動金具１０６が同方向に回る。
鍵を（操作者から見て）時計回りに回動すれば、回動金具１０６が同方向に回って中枠施錠部１０３の昇降板１０７を上昇変位させる。これに伴って施錠フック１０８が解錠側に変位するので外枠の金具との係止が解除（中枠１０が解錠）される。
【００６２】
鍵を（操作者から見て）反時計回りに回動すれば、回動金具１０６が同方向に回ってガラス枠施錠部１０４の昇降板１３０を下降変位させる。これに伴って施錠フック１３２が解錠側に変位するのでガラス枠の金具との係止が解除（ガラス枠が解錠）される。なお、押下レバー１３０ａを押し下げても、同様にガラス枠を解錠できる。
【００６３】
以上が、中枠１０を構成する上辺部材３０、下辺部材５０、左縦辺部材７０及び右縦辺部材９０の構造説明である。
これらを互いに連結して中枠１０を組み立てる作業は、例えば次のように行われる。
【００６４】
まず、左縦辺部材７０のヒンジ保持面７８の前面を上辺部材３０の縦縁部３３の背面に重ねるようにして、左縦辺部材７０と上辺部材３０とを相互接近させる。この際に引上片７５ｃを上げてロック金具７５を引き上げ状態としたまま両者を接触させることにより、連結凸部３８を連結穴８２にはめ込み、係合穴３６ａに係合片７９ａを嵌合させ、係合凹部３３ａに係合片７８ａを係合させる。そして、ロック金具７５を下降させて係合口３８ａにロック片７５ａをはまり込ませれば、ロック片７５ａが閂となって左縦辺部材７０と上辺部材３０とが連結される。
【００６５】
この状態では、縦縁部３３の横端面に外周リブ７７が密接、ヒンジ保持面７８の前面が縦縁部３３の背面に密接、横当接面７９が縦縁部３３に連接する壁３７の外面に密接する。
次に、左縦辺部材７０のヒンジ保持面７８の前面を下辺部材５０の縦縁部６５の背面に重ねるようにして、左縦辺部材７０と下辺部材５０とを相互接近させる。この際に引上片７６ｃを上げてロック金具７６を引き上げ状態としたまま両者を接触させることにより、連結凸部６７を連結穴８３にはめ込み、係合穴５１ｃに係合片７３ｂを嵌合させ、縦縁部６５の縁を当接片７４ｄとヒンジ保持面７８とで挟み込ませる。そして、ロック金具７６を下降させて係合口６７ａにロック片７６ａをはまり込ませれば、ロック片７６ａが閂となって左縦辺部材７０と下辺部材５０とが連結される。
【００６６】
この状態では、下皿取付部５１の横端面に外周リブ７７が密接、ヒンジ保持面７８の前面が下皿取付部５１の背面に密接、横当接面７９が縦縁部６５の横壁６５ａに密接、後当接面８０が盤支持部５８の当接部５８ａに密接する。また、後当接面８０の上端は凹陥部３６の下端面に接触状態となる。
【００６７】
次に、右縦辺部材９０と上辺部材３０及び下辺部材５０とを連結する。その手順は左縦辺部材７０の場合とほぼ同様で、施錠機構保持面９６の前面を上辺部材３０の縦縁部３４の背面に重ねるようにして、右縦辺部材９０と上辺部材３０とを相互接近させる。
【００６８】
この際に引上片９３ｃを上げてロック金具９３を引き上げ状態としたまま両者を接触させることにより、連結凸部３８を連結穴９９にはめ込み、係合穴３６ｂに係合片９７ａを嵌合させる。そして、ロック金具９３を下降させて係合口３８ａにロック片９３ａをはまり込ませれば、ロック片９３ａが閂となって右縦辺部材９０と上辺部材３０とが連結される。
【００６９】
この状態では、縦縁部３４の横端面に外周リブ９５が密接、施錠機構保持面９６の前面が縦縁部３４の背面に密接、横当接面９７が縦縁部３４に連接する壁３７の外面に密接する。また、外周リブ９５の上端は外周リブ３５の下端に接触状態となり、後当接面９８の上端は凹陥部３６の下端面に接触状態となる。
【００７０】
次に、施錠機構保持面９６の前面を縦縁部６６の背面に重ねるようにして、右縦辺部材９０と下辺部材５０とを相互接近させる。
この際に引上片９４ｃを上げてロック金具９４を引き上げ状態としたまま両者を接触させることにより、連結凸部６７を連結穴１００にはめ込み、係合凹部６６ｂに係合片９６ｅを係合させる。そして、ロック金具９４を下降させて連結凸部６７の係合口にロック片９４ａをはまり込ませれば、ロック片９４ａが閂となって右縦辺部材９０と下辺部材５０とが連結される。
【００７１】
この状態では、縦縁部６６の横端面に外周リブ９５が密接、施錠機構保持面９６の前面が縦縁部６６の背面に密接、横当接面９７が縦縁部６６の横壁６６ａに密接、後当接面９８が盤支持部５８の当接部５８ｂに密接する。また、外周リブ９５の下端は外周リブ５２の上端に接触状態となる。
【００７２】
このようにして上辺部材３０、下辺部材５０、左縦辺部材７０及び右縦辺部材９０を互いに連結することで中枠１０が組み立てられる（図３〜５参照）。なお、上記の作業手順は一例であり、右縦辺部材９０と上辺部材３０及び下辺部材５０との連結を先行するなど、適宜に順序を変更しても構わない。
【００７３】
そして、この中枠１０には、賞球の払出に関わる機構（貸球の払出を兼ねることがある）や基板ケースなどが組み付けられ、図６〜９に示す内部構造体３００とされる（皿支持板１１０に取り付けられた下の球受皿の図示は省略）。
この内部構造体３００を上ヒンジ軸パーツ７２及び下ヒンジ軸受パーツ７３にて外枠に組み付け、上ヒンジ軸パーツ７２と皿扉軸受パーツ７４の上の軸受穴７４ａを用いてガラス枠を取り付け、軸受穴７４ａを貫通したガラス枠のヒンジ軸と皿扉軸受パーツ７４の下の軸受穴７４ｂとを用いて上の球受皿を取り付ける。
【００７４】
なお、内部構造体３００には遊技盤２００も取り付けられるが、遊技盤２００はいわゆる面替え等で交換されるので、内部構造体３００とは別の構成単位である。遊技盤２００の構造は公知のものと同様であり、ガイドレール２０１ａ、２０１ｂ、２０１ｃやアウト穴２０２等が設けられており、図示省略する入賞装置や表示装置等が組み付けられる。
【００７５】
内部構造体３００とするために中枠１０に取り付けられるのは、球タンク３０２、球タンク３０２から流出してくる遊技球を賞球（または貸球）として球受皿に導く樋構造などを含んだ裏セット３０５、メイン制御基板用のメイン基板ケース３０６、払出制御基板やランプ制御基板などのサブ制御基板用のサブ基板ケース３０７、３０８等である。なお中継基板ケース３０９は裏セット３０５の一部となっている。
【００７６】
裏セット３０５は、図１０〜１４に示すようにベース体３０５ａとカバー体３０５ｂ等との２層構造で全体としてＬ字状であり、中継基板ケース３０９はその最上部に配置されている。裏セット３０５は、後述する賞球ユニット３３０のモータ等を除いて、すべてプラスチック製である。
【００７７】
中継基板ケース３０９は、カバー３０９ａと基板保持部３０９ｂとからなり、基板保持部３０９ｂに中継端子板３１０を固定して、これをカバー３０９ａで覆う構造である。そして、基板保持部３０９ｂの背面から突出している突起３０９ｃを裏セット３０５のケース支持部３１１に設けられた係合穴３１１ａに係合させることで、裏セット３０５に組み付けられる。
【００７８】
ケース支持部３１１の下方には、タンクレール３０４から２列で流出してくる遊技球を１列に合流させる合流機構３１２が配置されている。特に図１０、１２、１５に詳しく示されるが、合流機構３１２は、タンクレール３０４の先端から流出する遊技球を下向きに誘導する案内リブ３１３、その下側に回転自在に配された回転体３１４、回転体３１４の下方に設けられた合流通路３１５等で構成されている。合流通路３１５は供給樋に該当する。
【００７９】
回転体３１４は、その軸を中心とする弦巻線に沿った稜と谷とを備えている。回転体３１４の長さは遊技球の直径の２倍をわずかに上回り、両端間での稜のねじれはほぼ１ピッチ分、谷は遊技球の外形に沿った円弧状で遊技球の一部（直径の１／４程度）を受容できる。
【００８０】
合流通路３１５は、互いに向かい合って後壁３１２ａに立設された合流リブ３１６、３１７とこれらの間に配された斜面３１８とからなる。
合流リブ３１６、３１７間の間隔は遊技球の直径をわずかに（例えば１ｍｍ程度）上回る。一方、合流リブ３１６、３１７間に形成された通路の深さ（回転体３１４の軸方向）は、斜面３１８によって下流側が狭められている。具体的には、斜面３１８の上端付近では遊技球の直径の２倍をわずかに上回るが、斜面３１８の下端では遊技球の直径をわずかに上回る寸法である。したがって、合流通路３１５の上端では遊技球が２個並ぶことができるが、下流部では２個は並べない。
【００８１】
合流リブ３１６は回転体３１４の側方を通って案内リブ３１３に対面する位置まで延びている。合流リブ３１７は回転体３１４の下方でとぎれており、案内リブ３１３と合流リブ３１７の間に回転体３１４が割り込んだ形になっている。そして、回転体３１４の谷底が合流リブ３１６に対面したときの両者の距離は、合流リブ３１６、３１７間の間隔とぼぼ等しい。
【００８２】
これら案内リブ３１３、回転体３１４、合流リブ３１６、３１７等を合流カバー３１９で覆うことで合流機構３１２が完成する。
この合流機構３１２は次のようにして遊技球を合流させる。
まず、タンクレール３０４から２列で流出してきた遊技球は、案内リブ３１３によって下向きに誘導されて回転体３１４に至る。すると遊技球は回転体３１４の谷に入って、その重量で回転体３１４を回して合流通路３１５に落下する。
【００８３】
ただし、回転体３１４の稜及び谷が上述のようにねじれているので、同じ谷に同時に２個の遊技球が進入することはなく、２列で流れてきた遊技球は１個ずつ順に回転体３１４を回転させては落下してゆく。そして、合流通路３１５を通る間に１列にされて、さらに下方へと落下する。
【００８４】
なお、この合流機構３１２は特開２０００−２２５２５９号公報に記載の技術に従っており、詳細についてはこの公報を参照されたい。
合流通路３１５の下端部には中継通断部材に該当する通断部材３２０が装着される。通断部材３２０は、遊技球を１列で通過させる寸法の通過孔３２１、通過孔３２１が設けられている板部材であるストッパ３２６、通過孔３２１の前後両側に配された係合腕３２２、３２３及び左右の係合壁３２４、３２５等を備えている。
【００８５】
通断部材３２０は、係合腕３２３を後壁３１２ａの保持穴３２７に挿通させ、係合腕３２２を合流カバー３１９の保持穴３２８に挿通させることで、合流機構３１２に組み付けられる。通断部材３２０は保持穴３２７、３２８と係合腕３２３、３２２の相対位置の範囲で横（左右）に移動して通過位置と遮断位置とに変位可能である。しかし、後壁３１２ａと合流カバー３１９とによって前後方向への移動は規制される。
【００８６】
通断部材３２０を通過位置とした際には通過孔３２１が合流通路３１５の下端に対応して、合流通路３１５を通ってきた遊技球が通過孔３２１に流入し通過可能となる。また、通断部材３２０を遮断位置にした場合には、ストッパ３２６が合流通路３１５を横断する位置になるので合流通路３１５からの遊技球の落下が阻まれる。
【００８７】
通断部材３２０の下側には払出装置に該当する賞球ユニット３３０が配置される。賞球ユニット３３０の上端には通断部材３２０との係合部３３１が設けられ、その内側に遊技球の導入口３３２が開口している。
導入口３３２は導入樋部３３４に連通しており、導入口３３２から流入した遊技球は導入樋部３３４を経て下部の球切り部３３５へ導かれる。球切り部３３５には球切りモータ３３６が備わっており、球切りモータ３３６を稼動させることで導入樋部３３４から遊技球を導き入れて１個単位で排出できる。
【００８８】
賞球ユニット３３０の背面３３０ａにはＬ字状の取付爪３３７が設けられており、ベース体３０５ａの賞球ユニット収容部３３８には取付爪３３７に対応する取付穴３３９が設けられている。賞球ユニット３３０の賞球ユニット収容部３３８への取付は、取付爪３３７を賞球ユニット収容部３３８の奥壁３３８ａに係止させることで行われる。ただし、取付爪３３７による係止だけでは、賞球ユニット３３０が上記と逆方向に移動して脱落するおそれがあるので、それを防止するための移動規制部材３４０（位置規制手段に該当）を備えている。
【００８９】
移動規制部材３４０には、昇降体３４１、これを昇降操作するための握り３４２、昇降体３４１の側面から延出された規制突起３４３、昇降体３４１の下端から延出された嵌合突起３４４等が設けられている。
一方、ベース体３０５ａには、賞球ユニット収容部３３８に隣接して移動規制部材収容部３４５が設けられており、その側面３４５ａには規制突起３４３に対応する貫通穴３４６が設けられている。なお、裏セット３０５の外側の縦縁部にはカバー３０５ｃが装着され、移動規制部材収容部３４５の一部がカバー３０５ｃによって覆われているが、移動規制部材３４０の取付け、取外しはカバー３０５ｃを外した状態で行われる。
【００９０】
移動規制部材３４０は、規制突起３４３を貫通穴３４６に貫通させた状態で移動規制部材収容部３４５に収容されており、規制突起３４３と貫通穴３４６との相対位置の範囲で移動規制部材収容部３４５内にて昇降変位できる。
詳しくは、図１６に示すように、規制突起３４３を貫通穴３４６に入出可能な（つまり移動規制部材３４０を取り外し可能な）着脱操作位置（図１６（ａ））、規制突起３４３が貫通穴３４６よりも下降しているが取付穴３３９よりも上方にある規制解除位置（図１６（ｂ））、規制突起３４３が取付穴３３９の背後に達している規制位置（図１６（ｃ））の３位置間で昇降変位できる。
【００９１】
これら各位置は、主に移動規制部材収容部３４５の背面に設けられた弾性片３４５ｂと移動規制部材３４０の裏面に設けられた横方向のリブ３４０ａとの相互作用によって定まる。すなわち、着脱操作位置では横方向のリブ３４０ａは弾性片３４５ｂの山状の下端部よりも上に外れていて、リブ３４０ａ（移動規制部材３４０）の下降変位に対しては弾性片３４５ｂが抵抗となる。規制解除位置では、リブ３４０ａは弾性片３４５ｂの山状の下端部に接触していて、リブ３４０ａ（移動規制部材３４０）の上昇変位に対しては弾性片３４５ｂが抵抗となる。規制位置ではリブ３４０ａは弾性片３４５ｂから下方に離れていて弾性片３４５ｂの影響を受けない。つまり、規制解除位置〜規制位置間での変位については弾性片３４５ｂの抵抗を受けないが着脱操作位置〜規制解除位置の変位においては弾性片３４５ｂが抵抗となる。
【００９２】
また、規制解除位置では、移動規制部材３４０の下端に設けられている嵌合突起３４４が移動規制部材収容部３４５の底の穴３４５ｃ（図１７参照）に１／３ほど進入し、規制解除位置では嵌合突起３４４が底の穴３４５ｃに完全に埋没する。
【００９３】
賞球ユニット３３０の着脱は、移動規制部材３４０を規制解除位置にして行われる（着脱操作位置でも可能である）。
賞球ユニット３３０を装着する場合には、予め移動規制部材３４０を規制解除位置（着脱操作位置でも可）にしておいて、係合部３３１を通断部材３２０の係合壁３２４と係合壁３２５との間に挿し込んで係合状態にして、取付爪３３７を取付穴３３９に挿通させる（図１７参照、賞球ユニット３３０は着脱位置）。なお、係合部３３１と係合壁３２４及び係合壁３２５との係合は、係合壁３２４及び係合壁３２５の垂下舌部３２４ａ、３２５ａによるので、取付爪３３７を取付穴３３９に挿通させるための賞球ユニット３３０の移動には支障がない。
【００９４】
次に、賞球ユニット３３０を横（図１７（ａ）における左方向）に移動させることで、取付爪３３７を賞球ユニット収容部３３８の奥壁３３８ａに係止させる（図１８参照）。このとき、通断部材３２０も賞球ユニット３３０と共に平行移動する。この際の通断部材３２０の移動は、遮断位置から通過位置への移動である。
【００９５】
そして、移動規制部材３４０を下降させて規制位置にすれば、貫通穴３４６から突出している規制突起３４３が移動規制部材収容部３４５の側面３４５ａと賞球ユニット３３０の取付爪３３７との間に嵌入して取付爪３３７の移動を阻止する（図１９参照）。これにより、賞球ユニット３３０の取付時とは逆方向への移動、すなわち取付爪３３７による係止の解除が防止され、賞球ユニット３３０は使用状態における位置である通常位置から移動できなくなる。また、移動規制部材３４０は、規制突起３４３が貫通穴３４６に挿通していて嵌合突起３４４が移動規制部材収容部３４５の底の穴３４５ｃに嵌合するので、移動規制部材収容部３４５内に保持される。
【００９６】
この状態から上記とは逆に移動規制部材３４０を上昇させて規制解除位置にすれば、規制突起３４３が移動規制部材収容部３４５の側面３４５ａと取付爪３３７との間から退去するので、賞球ユニット３３０を移動させて取付爪３３７による係止を解除することができる。取付爪３３７による係止を解除すれば、賞球ユニット３３０をベース体３０５ａから取り外すことができる。取付爪３３７は、取付穴３３９に係脱することで着脱規制手段として機能する。
【００９７】
移動規制部材３４０を上昇させた際には、これが規制解除位置に来るとリブ３４０ａが弾性片３４５ｂに接触して抵抗が生じるので、普通に移動規制部材３４０を上昇させれば規制解除位置で止まる。
なお、この賞球ユニット３３０の取り外しに当たっては、係合部３３１が係合壁３２４と係合壁３２５との間を摺動して抜けるので、通断部材３２０は合流機構３１２の下端に装着されたままである。そして、このときの通断部材３２０の位置は、取付爪３３７による係止を解除するための賞球ユニット３３０の移動に伴って通過位置から遮断位置に変わっているので、合流通路３１５からの遊技球の落下が阻止される。
【００９８】
このように、賞球ユニット３３０はベース体３０５ａ（裏セット３０５）に着脱自在であるので、例えば賞球ユニット３３０が故障した場合などには、これを取り外して修理したり簡単に正常なものと交換できる。
また、賞球ユニット３３０の取り外しに際して通断部材３２０が遮断位置にされるので、賞球ユニット３３０を取り外したときに合流通路３１５から遊技球が落下することはない。
【００９９】
賞球ユニット３３０の下端には遊技球を排出するための出口が設けられており、ベース体３０５ａとカバー体３０５ｂとを接合することで形成された誘導経路に接続されている。図示は省略するが、賞球ユニット３３０の出口は賞球用（貸球用も兼ねる）の出口と球抜き用の出口との２つがあり、賞球ユニット３３０の下部にはいずれかの出口を択一的に選択する（切り替える）切替機構が設けられている。通常、切替機構は賞球用の出口を選択した状態にあるが、球抜き操作されると球抜き用の出口を選択した状態に切り替わる。
【０１００】
賞球（または貸球）として排出される遊技球の誘導経路であり誘導樋に該当する賞球経路３５０（図１４参照）は、ベース体３０５ａに設けられた上リブ３５１、中リブ３５２、カバー体３０５ｂに設けられた膨出部３５３、膨出部３５３に収容される仕切部材３５４等から構成される。なお、図１４は、賞球経路３５０を明瞭に示すために、本来は隠れ線となる部分、例えば上リブ３５１や中リブ３５２等を実線で表示している。
【０１０１】
上リブ３５１と中リブ３５２とはほぼ並行しており、両者間に横設された上皿誘導板３５５及び天井板３５６にて連結されている。そして、上皿誘導板３５５上には上皿接続口３５７が開口している。上皿接続口３５７は上皿用貫通樋６１と接続される（図９参照）。誘導板３５５と天井板３５６との間の通路が上皿分岐部に該当し、図１１に示すようにケース支持部３１１から上皿分岐部の下限までの部分が裏セット３０５の縦部３０５ｖに相当し、それよりも下側部分が横部３０５ｈに相当する。なお、図１１においては横部３０５ｈの上縁３０５ｄまでを縦部３０５ｖと示しているが、実際には上皿分岐部の下限は誘導板３５５の下面（本例では横部３０５ｈの上縁３０５ｄよりもやや低い位置）で、これが縦部３０５ｖと横部３０５ｈの連続部分における境界となる。したがって、横部３０５ｈの上限は、この連続部分では誘導板３５５の下面及びその延長面であり、横に張り出した部分では上縁３０５ｄである。
【０１０２】
中リブ３５２はベース体３０５ａの下辺にまで達しているが、上リブ３５１はそこまで到達していない。ただし、ベース体３０５ａの下辺部には中リブ３５２と対面して開口リブ３５８が設けられており、中リブ３５２との間に下皿接続口３５９を形成している。下皿接続口３５９は下皿用貫通樋５３の後端（バケツ５３ａ部分）に接続されているので（図８、９参照）、下皿接続口３５９から落下した遊技球は下皿用貫通樋５３から下の球受皿に流入する。
【０１０３】
そして、上リブ３５１と開口リブ３５８との空隙を遮断する姿勢で、満杯検出板３６１が懸架されている。満杯検出板３６１は上端部を支持する軸を中心として揺動可能で、通常は賞球経路３５０内に突出している。しかし、下の球受皿が満杯になって賞球経路３５０内にまで遊技球が蓄積されてくると、その遊技球によって押されて外側に変位して満杯スイッチ３６２を例えばオフからオンに変化させる。なお、満杯検出板３６１の変位は満杯スイッチ３６２によって規制されるので、この揺動時に遊技球が漏出することはない。
【０１０４】
中リブ３５２は天井板３５６の上側に屈曲しており、賞球ユニット３３０の球抜き用の出口から排出された遊技球がこの屈曲部３６３に落下する位置関係になっている。カバー体３０５ｂには、中リブ３５２とほぼ並行する外リブ３６４が設けられており（外リブ３６４の一部はカバー体３０５ｂの外壁でもある。）、両者間に球抜き時の遊技球の誘導経路である球抜経路３６５が形成されている。球抜経路３６５の下端は開放されて機外排出口３６７とされていて、球抜経路３６５を通ってきた遊技球はここから機外に排出される。
【０１０５】
また、ベース体３０５ａには、機外排出口３６７の上方で球抜経路３６５に連通する使用球排出口３６８が開口している。
膨出部３５３は上膨出部３６９と下膨出部３７１との上下２段に分かれており、上面には膨出部３５３からカバー体３０５ｂの本体部にわたる切欠状の排出球受入口３７２が設けられている。排出球受入口３７２は賞球ユニット３３０の下端が接続される位置にあり、一部（抜球受入口３７２ｂ）は球抜経路３６５の上端（入口部分）に整合して賞球ユニット３３０の球抜き用の出口から排出された遊技球を通過させる。一方、排出球受入口３７２の膨出部３５３に設けられた部分（賞球受入口３７２ａ）は、賞球ユニット３３０の賞球用の出口から排出された遊技球を流入させる。
【０１０６】
賞球ユニット３３０から排出された遊技球のすべてが排出球受入口３７２に流入するので、賞球（貸球）を球抜経路３６５に流入させないための手だてが必要になる。仕切部材３５４はそのための仕切手段である。
この仕切部材３５４は、それぞれが上膨出部３６９の左右の壁（内面形状）に整合する横壁３７３、３７４と仕切板３７５とからなり、上部には賞球受入口３７２ａに整合する開口３７６が設けられている。仕切部材３５４は上膨出部３６９に内嵌状態とされ、その際に仕切板３７５が賞球受入口３７２ａと抜球受入口３７２ｂとの境界となる。また、仕切板３７５は中リブ３５２の屈曲部３６３と上膨出部３６９との仕切ともなる。これにより、賞球ユニット３３０の賞球用の出口から排出された遊技球は賞球受入口３７２ａから上膨出部３６９に流入し、抜球受入口３７２ｂから球抜経路３６５に流入する。すなわち、賞球（貸球）が球抜経路３６５に流入することはないし、球抜き操作で排出された遊技球が上膨出部３６９（賞球経路３５０）に流入することもない。
【０１０７】
上膨出部３６９の下端部は、ベース体３０５ａ側に向う円弧状曲面の上皿案内面３７８となっており、賞球受入口３７２ａから落下してきた遊技球の進路を上皿誘導板３５５の上方に向けて変化させる。上皿誘導板３５５上に飛来した遊技球は、通常は上皿誘導板３５５から上皿接続口３５７を通過して上皿用貫通樋６１を経て上の球受皿に流入する。
【０１０８】
しかし、上の球受皿が遊技球で満杯状態となって上皿誘導板３５５上までもが遊技球で満たされ、上皿案内面３７８から上皿誘導板３５５に向かって飛び出した遊技球の進路が塞がれた状態になると、遊技球は上皿誘導板３５５から上皿接続口３５７へとは流れずに、上皿誘導板３５５と下膨出部３７１との間を通って中リブ３５２上に落下する。そして、中リブ３５２に沿って移動して下皿接続口３５９から流出する。下膨出部３７１から下皿接続口３５９にわたる部分が下皿分岐部に該当する。
【０１０９】
賞球ユニット３３０から排出された遊技球の経路構成は以上の通りであるが、裏セット３０５にはゲームに使用された遊技球（使用球＝セーフ球及びアウト球）を機外に導くための経路も備わっている。
ベース体３０５ａには、使用球受入口となる傾斜口３８１が使用球排出口３６８の上方に設けられている。一方、カバー体３０５ｂには、傾斜口３８１に対応して切欠３８２が設けられている。そして、ベース体３０５ａには、傾斜口３８１から使用球排出口３６８にわたる範囲を覆う使用球誘導樋３８３が装着される。使用球誘導樋３８３の上端は開放されていて、傾斜口３８１と共同して使用球受入口となる。
【０１１０】
遊技盤２００の背面には背面カバー３８５が装着されている。入賞したセーフ球及びアウト穴２０２に流入したアウト球は、すべて遊技盤２００の背面側に放出されて背面カバー３８５によって集合、誘導されて使用球受入口から使用球誘導樋３８３に流入する。これら使用球は使用球排出口３６８から球抜経路３６５に流入して、機外排出口３６７から機外に排出される。
【０１１１】
ベース体３０５ａとカバー体３０５ｂとを接合させるための機構は、盤支持部５８とファールカバー１２２との接続と同様で、カバー体３０５ｂにはロックピース取付穴３８７が設けられ、ベース体３０５ａにはロックピース取付穴３８８が設けられている。ロックピース１１８をロックピース取付穴３８７から挿し込んでロックピース取付穴３８８を貫通させてから９０度回せば、ロックピース１１８は、抜止突起１１８ｂとロック部１１８ｃとでベース体３０５ａ及びカバー体３０５ｂを挟持して両者を接合させる。合流カバー３１９とベース体３０５ａとの接合も同様に行われる。
【０１１２】
裏セット３０５と中枠１０との接合も同様の装着構造による。すなわち、裏セット３０５には、ケース支持部３１１から延出された取付耳３１１ｂとカバー体３０５ｂの背面から見て左上隅に、ロックピース取付穴３８７と同様のロックピース取付穴３８９、３９１が設けられている。また、ベース体３０５ａにはロックピース取付穴３９１に対応してロックピース貫通穴３９２が設けられている。そして、中枠１０には、ロックピース取付穴３８９に対応してロックピース取付穴３９３が、ロックピース取付穴３９１に対応してロックピース取付穴３９４が設けられている。
【０１１３】
ベース体３０５ａ、カバー体３０５ｂ、合流カバー３１９等を組み立てた裏セット３０５を、ロックピース取付穴３８９を中枠１０のロックピース取付穴３９３に、ロックピース取付穴３９１をロックピース取付穴３９４に重ね合わせるようにして中枠１０との位置合わせする。そして、上述のベース体３０５ａとびカバー体３０５ｂ、ベース体３０５ａと合流カバー３１９との接合と同様に、ロックピース１１８を用いて裏セット３０５と中枠１０を接合する（裏セット３０５を中枠１０に取り付ける。）。
【０１１４】
また、ロックピース１１８を回動させて抜止突起１１８ｂを突起通過部に合わせてから引き抜くけば、中枠１０から裏セット３０５を分離（取り外し）できる。
以上の通り、裏セット３０５においては、賞球ユニット３３０を着脱するための構造が、賞球ユニット３３０がその使用状態における位置である通常位置から裏セット３０５からの取り外しが可能な位置である着脱位置へ移動するのを阻む規制位置及び通常位置〜着脱位置との間での移動を許す規制解除位置に操作される移動規制部材３４０、賞球ユニット３３０が通常位置にあるときには取付穴３３９に係合して賞球ユニット３３０の裏セット３０５からの取り外しを許さず、着脱位置にされると係合が解除されて賞球ユニット３３０の裏セット３０５からの取り外しを許す取付爪３３７及び通常位置にあるときの賞球ユニット３３０に対応する通過位置と着脱位置にあるときの賞球ユニット３３０に対応する遮断位置との間で平行移動可能に合流通路３１５と賞球ユニット３３０との間に装着され、通過位置と遮断位置とを限度とする範囲で賞球ユニット３３０と連動し、通過位置では合流通路３１５から通過孔３２１を経て賞球ユニット３３０への遊技球の供給を許し、遮断位置では合流通路３１５からの遊技球の流出を阻む通断部材３２０を含んで構成されているので、賞球ユニット３３０を通常位置にした使用時には、移動規制部材３４０を規制位置にすることで賞球ユニット３３０が着脱位置に移動するのを規制できるから、賞球ユニット３３０が不用意に着脱位置になるのを防止できる。
【０１１５】
賞球ユニット３３０を取り外す際には、移動規制部材３４０を規制解除位置にして賞球ユニット３３０を着脱位置に移動させれば、取付爪３３７が取付穴３３９から外れて賞球ユニット３３０の裏セット３０５からの取り外しを許すので、賞球ユニット３３０を取り外せる。しかし、賞球ユニット３３０を着脱位置にしなければ取付爪３３７が取付穴３３９に係合していて取り外しを許さないから、賞球ユニット３３０を取り外せない。
【０１１６】
移動規制部材３４０を備えたことにより賞球ユニット３３０が不用意に着脱位置になるのを防止でき、取付爪３３７と取付穴３３９を備えたことにより、賞球ユニット３３０が着脱位置以外から取り外されるのを防止できる。つまり、作業ミスなどで賞球ユニット３３０が着脱位置になったり適正でない位置から取り外されて合流通路３１５から遊技球が漏出するのを確実に防止できる。また、移動規制部材３４０の操作には工具などを必要としない。
【０１１７】
通断部材３２０は、通過位置と遮断位置との間で平行移動可能に合流通路３１５の下流側に装着されており、通過位置と遮断位置とを限度とする範囲で賞球ユニット３３０と連動するが、通断部材３２０を通過位置とする賞球ユニット３３０の位置（通常位置）は使用状態における位置であり、この位置にあるときには合流通路３１５から通過孔３２１を経て賞球ユニット３３０への遊技球の供給を許し、通断部材３２０を遮断位置とする賞球ユニット３３０の位置（着脱位置）は賞球ユニット３３０を裏セット３０５から取り外しできる位置であり、この遮断位置では合流通路３１５からの遊技球の流出を阻む。
【０１１８】
したがって、使用状態で賞球ユニット３３０が通常位置にされていれば合流通路３１５から賞球ユニット３３０への遊技球が供給されるので賞球ユニット３３０は払出を実行でき、賞球ユニット３３０を裏セット３０５から取り外すために着脱位置に移動させると、通断部材３２０が遮断位置になって合流通路３１５からの遊技球の流出を阻むので、賞球ユニット３３０を裏セット３０５から取り外しても合流通路３１５から遊技球が漏出しない。
【０１１９】
賞球ユニット３３０を着脱位置に移動させれば通断部材３２０が遮断位置になるから、通断部材３２０をバネなどで付勢する必要がない。賞球ユニット３３０を取り外すための作業が通断部材３２０を遮断位置にする作業となるから、賞球ユニット３３０の取り外し時には、確実に通断部材３２０を遮断位置にでき、作業ミスなどで合流通路３１５から遊技球が漏出するおそれもない。
【０１２０】
また、通断部材３２０は、遊技球を通過させる通過孔３２１を有していればよいので、例えば板材に穴（通過孔３２１）を設けただけの単純な構造にできる。すなわち、部品点数は少なくて済み、その構造も単純にできる。
特に、バネ等の付勢手段を必要としないので、そのバネ等を保持する部材も不要で、強力なバネ等の力が長期にわたって作用したことによる破損は発生しない。またバネ等の不良や可動部に付着した汚れが原因となって正常に作動しなくなるおそれもない。
【０１２１】
移動規制部材３４０の規制位置と規制解除位置との間での変位は、賞球ユニット３３０の通常位置と着脱位置との間での移動方向と直交する方向に沿った平行移動であるので、例えば移動規制部材３４０を変位させた際に誤って賞球ユニット３３０も移動させるような不具合を防止できる。
【０１２２】
賞球ユニット３３０の着脱が取付爪３３７と取付穴３３９との係止、係止解除で行われるので、ビスなどを必要とせず、またそのための工具なども必要としない。
また、本実施例の裏セット３０５は、賞球ユニット３３０に供給される遊技球の通路となる合流通路３１５、賞球ユニット３３０が装着される部分及び賞球経路３５０の一部であって上皿誘導板３５５と天井板３５６の間に形成された上皿分岐部が含まれる縦部３０５ｖと、賞球経路３５０の一部であって下膨出部３７１から下皿接続口３５９に至る下皿分岐部が含まれる横部３０５ｈとからなるＬ字状で、球タンク本体３０３及びタンクレール３０４を支持する部材を備えない構造、すなわち、窓を有する枠体ではなくてＬ字状をしているので、これを射出成形するための成形金型は小型で済む。
【０１２３】
裏セット３０５がＬ字状であるから、裏セット３０５との干渉を避けて各種の配線を引き回すことが可能で、配線の自由度が高まる。
この裏セット３０５はＬ字状であり中枠１０に固定されるので、裏セット３０５を開閉するための軸支機構や閉鎖状態でロックするための機構等が不要となり、全体的に構造が簡素化される。また、中枠１０に固定することにより中枠１０側の構造との位置合わせが正確になり、使用中にずれたりするおそれもなくなる。
【０１２４】
さらに、従来の機構盤よりも小型であり裏セット３０５が遊技機の背面側で占める範囲も狭くなるから、その分だけ他の部品のスペースにゆとりができ、部品サイズや部品配置の自由度が高まる。
裏セット３０５を中枠１０の背面に装着するための装着構造は、裏セット３０５のロックピース取付穴３８９、３９１、中枠１０のロックピース取付穴３９３、３９４及びロックピース１１８にて構成され、裏セット３０５の取付け、取り外しともロックピース１１８の操作だけで行われるから、裏セット３０５の中枠１０への装着も取り外しも簡単である。
【０１２５】
本実施例においては、中枠１０を上辺部材３０、下辺部材５０、左縦辺部材７０及び右縦辺部材９０の４分割構造とした上で、上辺部材３０及び下辺部材５０をプラスチック製にして、左縦辺部材７０及び右縦辺部材９０を金属製にしたので、全体をプラスチック製にした場合と比べれば縦辺部分の強度は格段に高まる。ただし、金属（板金）を縦辺部材７０、９０に限っているので、重量は全体をプラスチック製にしたときと比べてそん色がなく、全体を板金製にした場合よりも格段に軽量化できる。
【０１２６】
また、上辺部材３０と下辺部材５０とを別々に成形するので、金型を小型化でき、成形時の歪み等も防止できる。
特に、下辺部材５０をプラスチック製としているので、下辺部材５０に賞球などの通路を設けることができ、樋などを別途プラスチック成形して組み合わせる必要がなくなるか、わずかな量で済む。
【０１２７】
しかも、上辺部材３０及び下辺部材５０と左縦辺部材７０及び右縦辺部材９０とを分離可能に連結する可逆的連結手段として連結凸部３８、６７及びロック金具７５、７６、９３、９４を備えたので、例えば左縦辺部材７０と上辺部材３０を連結するには、適宜に位置合わせして左縦辺部材７０と上辺部材３０とを相互接近させ、ロック金具７５を引き上げ状態として連結凸部３８を連結穴８２にはめ込んでから、ロック金具７５を下降させて係合口３８ａにロック片７５ａをはまり込ませれば、ロック片７５ａが閂となって左縦辺部材７０と上辺部材３０とが連結される。左縦辺部材７０と上辺部材３０との連結を解除するには、ロック金具７５を上昇させてロック片７５ａによる閂を外せばよい。左縦辺部材７０と下辺部材５０との連結及び解除、右縦辺部材９０と上辺部材３０並びに下辺部材５０との連結及び解除も同様に行える。
【０１２８】
このように、上辺部材３０及び下辺部材５０と左縦辺部材７０及び右縦辺部材９０の連結作業が容易であるから、組立に要する工数などはわずかで済む。また、これらの分離（連結解除）も容易であるから、プラスチック（上辺部材３０及び下辺部材５０）と金属（左縦辺部材７０及び右縦辺部材９０）とを混用していても、リサイクルに際しての分別はきわめて簡単である。
【０１２９】
左縦辺部材７０に上ヒンジ軸パーツ７２、下ヒンジ軸受パーツ７３及び皿扉軸受パーツ７４を備えて、外枠、ガラス枠及び上の球受皿と中枠１０とのヒンジ連結のための構成を左縦辺部材７０に集約し、右縦辺部材９０には施錠機構９２を備えて、中枠１０を外枠に対して施錠する機構及びガラス枠を中枠１０に対して施錠する機構を集約している。つまり、ヒンジ連結のための金属製部品を左縦辺部材７０に集約し、施錠のための金属製部品を右縦辺部材９０に集約しているので、リサイクルに際しては、これらの金属製部品も左縦辺部材７０及び右縦辺部材９０と共にプラスチック材（上辺部材３０及び下辺部材５０）と分別されるしたがって、リサイクルに際しての分別はきわめて容易かつ簡単で、分別効率も良好になる。
【図面の簡単な説明】
【図１】  実施例の中枠の正面側分解斜視図。
【図２】  実施例の中枠の背面側分解斜視図。
【図３】  実施例の中枠の背面側下方から見た分解斜視図。
【図４】  実施例の中枠の正面図。
【図５】  実施例の中枠の背面図。
【図６】  実施例の内部構造体の正面側斜視図。
【図７】  実施例の内部構造体の背面側斜視図。
【図８】  実施例の内部構造体の背面図。
【図９】  実施例の内部構造体の断面図であり、（ａ）は図８のＢＢ断面図、（ｂ）は同ＡＡ断面図。
【図１０】  実施例の裏セットの背面図であり、（ｂ）は（ａ）の円部分の拡大図。
【図１１】  実施例の裏セットの説明図であり、（ａ）は側面図、（ｂ）は正面図。
【図１２】  実施例の裏セットの正面側分解斜視図であり、（ｂ）は（ａ）の円部分の拡大図。
【図１３】  実施例の裏セットの背面側分解斜視図。
【図１４】  実施例の裏セットの賞球経路等の説明図。
【図１５】  実施例の裏セットの合流機構を説明するための斜視図。
【図１６】  実施例の裏セットにおける移動規制部材の昇降変位の説明図。
【図１７】  実施例の裏セットにおいて賞球ユニットを着脱位置にしたときの説明図。
【図１８】  実施例の裏セットにおいて賞球ユニットが通常位置にあり移動規制部材が規制解除位置にあるときの説明図。
【図１９】  実施例の裏セットにおいて賞球ユニットが通常位置にあり移動規制部材が規制位置にあるときの説明図。
【符号の説明】
１０    中枠
５３    下皿用貫通樋
５４    ファール連通樋
６１    上皿用貫通樋
２００  遊技盤
３００  内部構造体
３０２  球タンク
３０３  球タンク本体
３０４  タンクレール
３０５  裏セット
３０５ｈ        横部
３０５ｖ        縦部
３１１  ケース支持部
３１２  合流機構
３１５  合流通路（供給樋）
３２０  通断部材（中継通断部材）
３２１  通過孔
３２６  ストッパ
３３０  賞球ユニット（払出装置）
３３７  取付爪（着脱規制手段）
３３８  賞球ユニット収容部
３３９  取付穴（着脱規制手段）
３４０  移動規制部材（位置規制手段）
３４１  昇降体
３４３  規制突起
３４４  嵌合突起
３４５  移動規制部材収容部
３５０  賞球経路（誘導樋）
３５５  上皿誘導板
３５７  上皿接続口
３５９  下皿接続口
【図１】
0003978035.tif 000002
【図２】
0003978035.tif 000003
【図３】
0003978035.tif 000004
【図４】
0003978035.tif 000005
【図５】
0003978035.tif 000006
【図６】
0003978035.tif 000007
【図７】
0003978035.tif 000008
【図８】
0003978035.tif 000009
【図９】
0003978035.tif 000010
【図１０】
0003978035.tif 000011
【図１１】
0003978035.tif 000012
【図１２】
0003978035.tif 000013
【図１３】
0003978035.tif 000014
【図１４】
0003978035.tif 000015
【図１５】
0003978035.tif 000016
【図１６】
0003978035.tif 000017
【図１７】
0003978035.tif 000018
【図１８】
0003978035.tif 000019
【図１９】
0003978035.tif 000020